(57)【要約】【課題】浴槽や洗い場を有する浴室と脱衣室とを開放感の有る透明面材で仕切る浴室ドアにおいて、浴室ドアの冬期における曇りを浴室内部より入浴しながら曇り止め装置を操作することで除去し、開放感を復元するようにした浴室ドアを提供することをその課題とする。【解決手段】浴槽および洗い場を有する浴室と脱衣室との間に透明面材をほぼ全面に有する浴室ドアの浴室側の浴室ドア上部に位置する枠体に、浴室ドアに温水あるいは温風を吹き付ける曇り止め装置を設けたことを特徴とする浴室ドアである。曇り止め装置として温水吹出し口と温風吹出し口の両者を設けることもできる。【選択図】図３
2006241882.tif 000002
【特許請求の範囲】
【請求項１】
浴槽および洗い場を有する浴室と脱衣室との間に透明面材をほぼ全面に有する浴室ドアの浴室側の浴室ドア上部に位置する枠体に、浴室ドアに温水あるいは温風を吹き付ける曇り止め装置を設けたことを特徴とする浴室ドア。
【請求項２】
曇り止め装置が温水ノズルユニットであり、浴室内部から操作可能としたことを特徴とする請求項１記載の浴室ドア。
【請求項３】
曇り止め装置が温風ユニットであり、浴室内部から操作可能としたことを特徴とする請求項１記載の浴室ドア。
【請求項４】
曇り止め装置が温水ノズルユニットと温風ユニットであり、浴室内部から操作可能としたことを特徴とする請求項１記載の浴室ドア。
【発明の詳細な説明】
【技術分野】
【０００１】
本発明は、浴室と脱衣室を仕切る浴室ドアに関する。さらに詳しくは、浴室ドアのほぼ全面に透明部材を組み込んだ開放感のある浴室システムに関するものである。
【背景技術】
【０００２】
従来、開放感を持たすため浴室と脱衣室を仕切る浴室ドアのほぼ全面に透明面材を組み込むことが行われている。しかし冬場など浴室内の温度、湿度が高くなった時に透明面材に曇りが生じ、開放感が維持できず開放感を得るためにはこの曇りを拭き取る必要があった。このような浴室と脱衣場との間に透明な扉体を設けた浴室ユニットは知られている
【特許文献１】特許番号第２７３１２５８号（第２頁、第２図）
【発明の開示】
【発明が解決しようとする課題】
【０００３】
上記特許文献１に設けられた透明な扉体は、洗濯機ユニットと浴室との間に間仕切壁を形成したものであり開放感を得るものではない。本発明は開放感を得るために浴槽と洗い場のある浴室と脱衣室の間にほぼ全面に透明面材を組み込んだ浴室ドアを用いたもので、冬期のお湯を使用した時に発生する曇りを浴室内から除去し、開放感を復元する浴室ドアを提供することをその課題とする。
【課題を解決するための手段】
【０００４】
上記課題を解決するために、本発明に係る浴室ドアの第一の特徴構成は、請求項１に記載した如く、浴槽および洗い場を有する浴室と脱衣室との間に透明面材をほぼ全面に有する浴室ドアの浴室側の浴室ドア上部に位置する枠体に、浴室ドアに温水あるいは温風を吹き付ける曇り止め装置を設けた点にある。
【０００５】
同第二の特徴構成は、請求項２に記載した如く、第一の特徴構成に加えて曇り止め装置が温水ノズルユニットであり、浴室内部から操作可能に形成した点にある。
【０００６】
同第三の特徴構成は、請求項３に記載した如く、第一の特徴構成に加えて曇り止め装置が温風ユニットであり、浴室内部から操作可能に形成した点にある。
【０００７】
同第四の特徴構成は、請求項４に記載した如く、第一の特徴構成に加えて曇り止め装置が温水ノズルユニットと温風ユニットであり、浴室内部から操作可能に形成した点にある。
【発明の効果】
【０００８】
請求項１に記載の浴室ドアは前記構成であり、入浴中に浴室ドアに曇りが生じた時に、温水や温風を吹き付けることにより、浴室ドアに生じた曇りを除去し、開放感を復元できるものである。
【０００９】
請求項２に記載の浴室ドアは前記構成であるので、請求項１の浴室ドアが有する効果に加え、温水ノズルユニットを浴室内部から操作出来る。したがって入浴中であっても浴槽から出ることなく曇りを除去できる。
【００１０】
請求項３に記載の浴室ドアは前記構成であるので、請求項１の浴室ドアが有する効果に加え、温風ユニットを浴室内部から操作出来るものであり、温水と同様に入浴中であっても曇りを除去できる。
【００１１】
請求項４に記載の浴室ドアは前記構成であるので、請求項１の浴室ドアが有する効果に加え、曇り具合によって温水ノズルユニットか温風ユニットを選択して曇りを解消することができ、しかもこれを浴室内部から操作できるものであり、入浴しながら曇りを除去できる効果がある。
【発明を実施するための最良の形態】
【００１２】
以下、本発明の実施形態について図面を参照して、詳細に説明する。図１ないし図３は本発明に係る浴室ドアの一実施例を示すものである。図1は浴室１内の配置を示し浴槽１１と洗い場１２からなっている。洗い場１２には照明１３、鏡１４、カラン１５が配されている。洗い場１２と脱衣室２とは浴室ドア３で仕切られている。
【００１３】
図２は浴室ドア３を示すもので、開放感を得るために透明面材３１、多くの場合、浴室ドア３の枠材３２を除いてガラスが張られている。浴室ドア３は図２にあるように引違い戸を示しているが、片開き戸あるいは折畳みドアなど一般に浴室ドア３として用いるものが使用され、特に限定されるものでない。そして浴室ドア３の上部に位置する枠体３３の浴室１側に曇り止め装置４である温水吹出し口４１や温風吹出し口４３が取り付けられている。浴室ドア３の上部に位置する枠体３３としては鴨居、框、垂れ壁など通常使用されるものが用いられる。
【００１４】
図３は浴室ドアの上部に位置する枠体３３に取りつけられた曇り止め装置４である温水吹出し口４１と温風吹出し口４３を示すものである。温水ノズルユニットは浴槽１１から操作できるように浴室１壁面に取り付けられた温水スイッチ１６をＯＮにすることで、給湯器（図示せず）から電磁弁ボックス４２を介して温水吹出し口４１に温水が供給され、温水吹出し口４１である温水ノズルから浴室ドア３の洗い場１２側の面に吹き付けられる。
【００１５】
温風の場合もほぼ同様であり温風ユニットの浴室１内の温風スイッチ１７をＯＮにすると暖房乾燥機が(図示せず)が作動し、温風吹出し口４３に温風が送られ浴室ドア３の洗い１２場側の面に温風が吹きつけられる。
【００１６】
図３では温水吹出し口４１と温風吹出し口４３を浴室ドア３の上部に位置する枠体３３である框に取り付けた引き違いの浴室ドア３の取り付け断面を示したものであり、温水吹出し口４１である温水ノズルが浴室ドア３へのより近い側に、  温風吹出し口４３がその外側に設けられている。これは温水が透明面材３１上を流れるのに対し、温風は拡散するためである。このような場合、温水を利用して曇りを除去した後、温風で浴室ドア３を乾燥することもできる。
【００１７】
このように本発明では、開放感の有る浴室１を作っても冬場などお湯を使うことにより透明面材３１が曇って開放感が失われても、浴室１内部より入浴しながら操作することで曇りを解消し、開放感を復元できるものであり、温水を使用することで浴室ドア３の表面を洗浄することもできる。
【図面の簡単な説明】
【００１８】
【図１】本発明に係る浴槽、洗い場、浴室ドアおよび脱衣室の配置を示す縦断面図である。
【図２】引違い戸である浴室ドアの正面図。
【図３】図２に示す温水および温風吹出し口を有する引違い戸である浴室ドアの縦断面図。
【符号の説明】
【００１９】
１      浴室
１１    浴槽
１２    洗い場
１３    照明
１４    鏡
１５    カラン
１６    温水スイッチ
１７    温風スイッチ
２      脱衣室
３      浴室ドア
３１    透明面材
３２    枠材
３３    浴室ドアの上部に位置する枠体
４      曇り止め装置
４１    温水吹出し口
４２    電磁弁ボックス
４３    温風吹出し口
【図１】
2006241882.tif 000003
【図２】
2006241882.tif 000004
【図３】
2006241882.tif 000005